(57)【要約】【課題】換気装置が外気からの空気を取り入れる際に生じる圧力損失を外気の影響を受けることなく減らし、高断熱及び高気密住宅に適した屋外カバーを提供する。【解決手段】換気装置などの換気口に取り付けられて換気効率を向上させる屋外フードにおいて、屋外フードが取り付けられる被装着体又は換気装置と屋外フードが形成する流路のうち、下側流路が上側流路よりも狭く下側流路から導入された流体が上側流路に導かれるにつれて当該流体の速度が速くなるように構成されていることを特徴とする。【選択図】図１
2013200047.tif 000002
【特許請求の範囲】
【請求項１】
換気装置などの換気口に取り付けられて換気効率を向上させる屋外フードにおいて、当該屋外フードが取り付けられる被装着体又は前記換気装置と当該屋外フードが形成する流路のうち、下側流路が上側流路よりも狭く、当該下側流路から導入された流体が上側流路に導かれるにつれて当該流体の速度が速くなるように構成されていることを特徴とする屋外カバー。
【請求項２】
請求項１記載の屋外カバーにおいて、外側部分の厚さが内側部分の厚さよりも薄い構造に形成されていることを特徴とする屋外カバー。
【請求項３】
請求項１又は２記載の屋外カバーにおいて、前記被装着体は壁材であることを特徴とする屋外カバー。
【請求項４】
請求項１又は２記載の屋外カバーにおいて、前記換気装置が装着された建物内部の流体が吸引され前記屋外カバーの内部方向に導かれたのち前記上側流路に導かれることを特徴とする屋外カバー。
【発明の詳細な説明】
【技術分野】
【０００１】
本発明は屋外フードに関し、更に詳しくは、外気を利用した熱交換型換気装置などにおける換気効率を高めるために当該装置などの換気口に取り付けられる屋外フードに関するものである。
【背景技術】
【０００２】
従来から屋内の淀んだ空気などを外部の新鮮な空気と入れ替えるために換気装置が家屋などに取り付けられているが、通常その外壁には換気口が設けられている。この換気口には、雨や雪などが室内に入り込まないようにカバーを取り付けるのが通例である。また、従来の換気口カバーは、下端部が開口部となるような構造の筒状に形成されており、この下端部に設けられた開口部から換気が行われている。
【０００３】
然しながら、従来の換気口カバーの場合、下端部に設けられた開口部から換気を行うようにしており、強い風が吹いた時に風が換気口カバーの開口部から屋内に逆流し、雨などが屋内に吹き込む等の問題もあった。このため、例えば特開２００３−２２２３６５号で開示されているように、防風弁を設けると共に下端部に設けられた開口部から換気を行う換気口カバーにより、雨や雪などの逆流を防止する構造の換気扇などが登場していた。
【０００４】
図３は従来例の構成斜視図で、図４は従来例の構成断面図である。これらの図において、換気口カバー６００は、換気口カバー本体６０１と換気口への取付部６０２とにより構成されている。また、図４に示すように、家屋の外壁６０３に設けられている換気口６０４の内側から換気口カバー本体６０１を外壁６０３の外部に出し、取付部６０２を外壁６０３に接着やネジ止め等により固定することで、この換気口カバー６００は家屋の外壁６０３に取り付けられるようになっている。
また、換気口カバー本体６０１の下端部には開口部６０７が開いており、家屋の外壁６０３に設けられている開口部６０４に取り付けるため、換気口カバー本体６０１は略９０度の角度に折り曲げられている。このように、換気口カバー６０１が略９０度の角度に折り曲げられ、換気口カバー本体６０１の開口部６０７が下方に向いていることから、換気口６０４に直接雨が吹き込むことを防止する。換気口カバー本体６０１の内壁６０５には、防風弁６０６が設けられている。
【０００５】
然しながら、上記従来例においては、近時の住宅高気密化に伴い、環境を考慮するため外気を利用する熱交換型換気装置の必要性が増大しており、上記従来例は通常の換気扇と併用するのには適しているものの、換気装置の屋外カバーとしては適していないという欠点があった。
すなわち、外気の影響を受けやすいという欠点である。例えば、風の弱い地域等では、十分な風量風圧が発生せず、大きな圧力損失が生じ、外気を利用する換気装置の機能を下げてしまう。逆に、高層ビルなど風の強い地域等では、従来例に設置された弁に期待される防風防塵の効果が十分に得られないという問題があった。また、上記従来例の場合には外気の影響を受けすぎるという問題もあった。すなわち、風の弱い地域等では大きな圧力損失が生じ、外気を利用する換気装置の機能を下げてしまう一方で、必要以上に風の強い地域などでは、従来例に設置された弁に期待される防風防塵の効果が十分に得られないという問題もあった。
【先行技術文献】
【特許文献】
【０００６】
【特許文献１】特開２００３−２２２３６５号公報
【発明の概要】
【発明が解決しようとする課題】
【０００７】
本発明が解決しようとする課題は上記従来例などにおいて外気の影響を受けすぎるという問題を解決することにある。
【課題を解決するための手段】
【０００８】
上記課題を解決するため、本発明は、換気装置などの換気口に取り付けられて換気効率を向上させる屋外カバーにおいて、屋外フードが取り付けられる被装着体又は前記換気装置と当該屋外フードが形成する流路のうち、下側流路が上側流路よりも狭く、当該下側流路から導入された流体が上側流路に導かれるにつれて当該流体の速度が速くなるように構成されていることを特徴とする。
同様に、本発明は、屋外カバーにおいて、外側部分の厚さが内側部分の厚さよりも薄い構造に形成されていることを特徴とする。
【０００９】
同様に、本発明は、屋外カバーにおいて、被装着体が壁材であることを特徴とする。
【００１０】
同様に、本発明は、屋外カバーにおいて、換気装置が装着された建物内部の流体が吸引され屋外カバーの内部方向に導かれたのち上側流路に導かれることを特徴とする。
【発明の効果】
【００１１】
本発明の屋外カバーは、外側部分の厚さが内側部分の厚さよりも薄い構造に形成されているため、当該屋外カバーの外側から吹き込む風などの流体が屋外カバーの下端部から上端部への方向に風速や風圧が強まるように流れる。このため、特に防風弁などを設けることなく、室内側に風・雪等が吹き込むことを防止することができるという利点がある。
【００１２】
また、屋外カバーによって速度や圧力が高められた風などの流体は建物内などから導かれた風などの流体とともに当該屋外カバーの上側部分へ吹き抜ける。このため、建物内などから導かれる風などの流体の量が少ない場合でも当該流体の速度や圧力を上げることができ、換気装置の効率を維持することができるという利点もある。
【図面の簡単な説明】
【００１３】
【図１】本実施形態の使用例を説明する構成断面図
【図２】屋外フードの裏側を説明する平面図
【図３】従来例の構成斜視図
【図４】従来例の構成断面図
【発明を実施するための形態】
【００１４】
以下、図を参照しながら本発明の最良の実施形態について詳しく説明する。なお、本発明は以下に詳述する実施形態に限定することなく、特許請求範囲に記載された範囲内で種々の変更が可能である。
【実施例１】
【００１５】
図１は本実施形態の使用例を説明する構成断面図であり、図中、１００は例えば熱交換型換気装置のような換気装置、２００は換気装置１００の換気口に取り付けられて換気効率を向上させる屋外フード、３００は換気装置１００の室内側に取り付けられる屋内フード、４０１,４０２は換気装置１００が取り付けられる壁材などから成る被装着体である。
【００１６】
図２は図１の屋外フード２００における裏側すなわち被装着体４０２側を説明する平面図であり、図中、２０１は屋外フード２００の裏側で厚さが比較的薄い部分を構成する例えば指先形状部分、２０２は屋外フード２００の裏側で厚さが比較的厚い部分を構成する例えば略Ｕ字形部分、２０３ａ〜ｃは屋外フード２００を被装着体４０２に取り付けるための取付け金具である。
【００１７】
以下、図１及び図２を用いて本実施形態の作用について説明する。図１において、太線矢印５０１,５０２のように吹く風などの流体は屋外フード２００に当たり、太線矢印５０３のように図１の紙面上で下方向から屋外フード２００の裏側に侵入する。屋外フード２００は上述のように裏側で厚さが上にゆくほど薄くなっているため、図１の紙面上で上にゆくほど流路は広くなっている。
【００１８】
このため、いわゆるベンチュリ管内を流れる流体に似た原理により、図１の紙面上で太線矢印５０３のように下方向から屋外フード２００の裏側に侵入した風などの流体は上にゆくほど速度や圧力が低下するように流れる。この流れに吸い込まれるようにして、換気装置１００内の流体すなわち建物内などから導かれた流体も図１の紙面上で上方法に吸い込まれるように流れる。このため、換気装置１００内の流体も比較的低速で流れ、換気装置１００内における流体の熱交換比率も向上するようになる。
【００１９】
また、図１において太線矢印５０１,５０２のように吹く風などの流体は屋外フード２００に当たって一旦下方向に流れるため、その流体に含まれる塵や雪などが部分的又は全体的に除去され、太線矢印５０３のように下方向から屋外フード２００の裏側に侵入するようになる。
【産業上の利用可能性】
【００２０】
本発明は、換気装置が外気からの空気を取り入れる際に生じる圧力損失を外気の影響を受けることなく減らし高断熱及び高気密住宅に適した屋外カバーなどに用いて好適である。
【符号の説明】
【００２１】
１００                  換気装置
２００                  屋外フード
２０１                 
指先形状部分
２０２                 
略Ｕ字形部分
２０３ａ〜ｃ            取付け金具
３００                  屋内フード
４０１,４０２           被装着体
６００                  換気口カバー
６０１                  換気口カバー本体
６０２                  取付部
６０３                  外壁
６０４                  換気口
６０５                  内壁
６０６                  防風弁
６０７                  開口部
【図１】
2013200047.tif 000003
【図２】
2013200047.tif 000004
【図３】
2013200047.tif 000005
【図４】
2013200047.tif 000006